(57)【要約】【課題】人体に対する集中した締め付け力の発生を抑制する。【解決手段】人体の胴回りから股下にかけて装着され、股下相当位置に水分吸収材を備える吸収性物品１００であって、装着時に人体の胴回りから股下を覆うシート部材２０を備えると共に，このシート部材２０に胴回りへの装着保持力を生ずる弾性部２５が設けられ、弾性部２５は、その弾性応力の強弱が異なる複数種の弾性部材２５ａ，２５ｂを複数備え、シート部材２０の胴回り部から下腹部にかけて当該下腹部に向かうにつれて装着保持力が小さくなるように強弱の異なる複数種の弾性部材２５ａ，２５ｂの混合配置比率を変化させて配置されている。【選択図】        図１
2004298399.tif 000002
【特許請求の範囲】
【請求項１】
人体の胴回りから股下にかけて装着され、股下相当位置に吸収体を備える吸収性物品であって、
装着時に人体の胴回りから股下を覆うシート部材を備えると共に，このシート部材に前記胴回りへの装着保持力を生ずる弾性部が設けられ、
前記弾性部は、弾性部材を複数備え、前記シート部材の胴回り部から下腹部にかけて当該下腹部に向かうにつれて装着保持力が小さくなるように前記弾性応力を変化させて配置されていることを特徴とする吸収性物品。
【請求項２】
前記弾性部は、弾性応力の強弱が異なる二種類以上の弾性部材からなることを特徴とする請求項１記載の吸収性物品。
【請求項３】
前記弾性部は、弾性応力の強弱が異なる二種類の弾性部材からなると共に、これらの混合配置比率の変化により前記胴回り部から下腹部に向かうにつれて装着保持力が小さくなるように前記弾性応力を変化させていることを特徴とする請求項１又は２記載の吸収性物品。
【請求項４】
前記各弾性部材は、前記胴回り部を一周して装備される環状の糸ゴムであることを特徴とする請求項１，２又は３記載の吸収性物品。
【請求項５】
前記各糸ゴムは、その種類，幅，太さ，貼付長さが異なることにより弾性応力の強弱差が設けられていることを特徴とする請求項４記載の吸収性物品。
【請求項６】
前記複数の弾性部材は、前記胴回り部から股下部側に向かう方向について均等な間隔で配置されていることを特徴とする請求項１，２，３，４又は５記載の吸収性物品。
【請求項７】
前記弾性部は、前記各弾性部材の配置間隔を変化させることで、前記弾性応力を連続的に変化させていることを特徴とする請求項１記載の吸収性物品。
【発明の詳細な説明】
【０００１】
【発明の属する技術分野】
本発明は、吸収性物品に関する。
【０００２】
【従来の技術】
従来の吸収性物品としての使い捨てブリーフは、透液性のトップシートと、不透液性のバックシートと、これらの間に介装される吸収体とで構成されている。そして、バックシートの胴回り部上端部とその下方の下腹部位置には、それぞれ人体への装着保持力を生じる複数の糸ゴムにより構成された弾性部が設けられている。（例えば、特許文献１参照）。
【０００３】
また、他の従来の吸収性物品としての使い捨てブリーフは、上記と同様に、透液性のトップシートと、不透液性のバックシートと、これらの間に介装される吸収体とを備え、バックシートの胴回り部上端部とその下方の下腹部位置に、人体への装着保持力を生じる複数の糸ゴムからなる弾性部が設けられると共に、胴回り部上端部の弾性部が下腹部位置の弾性部より弾性力が大きく設定されている。（例えば、特許文献２参照）。
【０００４】
【特許文献１】
特許第２６９０８７０号公報
【特許文献２】
特許第２８３３７２０号公報
【０００５】
【発明が解決しようとする課題】
しかし、上記各従来例では、弾性部がウェスト部で強くなっているため、装着時において、ウェストの部分に集中した締め付け力が生じ、人体に負担がかかる，取り外し後にゴムあとが残る，かゆみを生じる等の不都合があった。
【０００６】
本発明は、装着時の人体への負担を軽減し、緩やかな装着感で従来と変わらない装着保持力を有する吸収性物品を提供することを、その目的とする。
【０００７】
【課題を解決するための手段】
請求項１記載の発明は、人体の胴回りから股下にかけて装着され、股下相当位置に吸収体を備える吸収性物品であって、装着時に人体の胴回りから股下を覆うシート部材を備えると共に，このシート部材に胴回りへの装着保持力を生ずる弾性部が設けられ、弾性部は、弾性部材を複数備え、シート部材の胴回り部から下腹部にかけて当該下腹部に向かうにつれて装着保持力が小さくなるように弾性応力を変化させて配置されている、という構成を採っている。
【０００８】
上記構成では、従来のようにシート部材における胴回り部と下腹部の二箇所に分けて弾性部を形成するのではなく、胴回り部から下腹部の広い範囲に渡って並んで設けられた複数の弾性部材により装着保持力を生じるため、人体の一部に集中した締め付け力の発生を緩和することが可能となる。
さらに、弾性部は、胴回り部から下腹部に向かうにつれて装着保持力が小さくなるように設定されているので、弾性部全体としては高い保持力を維持しつつも人体の下腹部への締め付け力による圧迫を効果的に回避し、人体への負担の軽減を図ることが可能となる。このため、人体の胴回りや下腹部の締め付け痕やかゆみを効果的に解消することが可能となる。
【０００９】
請求項２記載の発明は、請求項１記載の発明と同様の構成を備えると共に、弾性部は、弾性応力の強弱が異なる二種類以上の弾性部材からなる、という構成を採っている。
即ち、胴回り部では弾性応力が強い弾性部材を主に配し、下腹部では弾性応力が弱い弾性部材を主に配することで、弾性部は、胴回り部から下腹部にかけての装着保持力の緩やかな低下が実現される。
【００１０】
請求項３記載の発明は、請求項１又は２記載の発明と同様の構成を備えると共に、弾性部は、弾性応力の強弱が異なる二種類の弾性部材からなると共に、これらの混合配置比率の変化により胴回り部から下腹部に向かうにつれて装着保持力が小さくなるように弾性応力を変化させている、という構成を採っている。
即ち、弾性部は胴回り部から下腹部にかけて複数の弾性部材ごとに、下腹部側に近いものほど弾性応力の弱い弾性部材の比率が高くなるように設定されている。これにより、弾性部は、胴回り部から下腹部にかけての装着保持力の緩やかな低下が実現される。また、弾性部材の種類数が低減されるので、これにより効果的な生産性の向上が図られる。
なお、上記「混合配置比率」とは、所定方向に並んだ複数の弾性部材を所定個数ずつに分けたときに、その中に含まれる強弱が異なる各種の弾性体の個数比率をいうものとする。
【００１１】
請求項４記載の発明は、請求項１，２又は３記載の発明と同様の構成を備えると共に、各弾性部材は、胴回り部を一周して装備される環状の糸ゴムである、という構成を採っている。
上記構成では、弾性部における装着保持力が、複数の環状の糸ゴムの弾性応力により発生する。このように、各弾性部材をその入手が容易な糸ゴムとすることにより生産性の向上を図ることが可能である。
【００１２】
請求項５記載の発明は、請求項４記載の発明と同様の構成を備えると共に、各糸ゴムは、その種類，幅，太さ，貼付長さが異なることにより弾性応力の強弱差が設けられている、という構成を採っている。なお、「貼付長さ」とは、糸ゴムの自然長に対して吸収性物品に取り付けられたときの長さの差をいうものとする。
上記構成では、素材が糸ゴムであることから各弾性部材の装着保持力の強弱の差をその厚さや幅により設定することができ、かかる強弱調節の容易性から生産性の向上を図っている。
【００１３】
請求項６記載の発明は、請求項１，２，３，４又は５記載の発明と同様の構成を備えると共に、複数の弾性部材は、胴回り部から股下部側に向かう方向について均等な間隔で配置されている、という構成を採っている。
上記構成では、各弾性部材を均等な間隔で配置することで、弾性部の幅全体で装着保持力が発生するように構成し、部分的な装着保持力の集中を回避し、効果的に人体への負担の軽減を図ることを可能とする。
【００１４】
請求項７記載の発明は、請求項１記載の発明と同様の構成を備えると共に、弾性部は、各弾性部材の配置間隔を変化させることで、弾性応力を連続的に変化させている。即ち、弾性部における側では、弾性部材の間隔が密となり、下腹部に向かうにつれて弾性部材の間隔が徐々に疎となるように配置されている。
また、上記構成では、同一の弾性部材による弾性応力の連続的な変化を実現することができ、部品種類を低減することができ、生産性の向上を図ることが可能となる。
【００１５】
【発明の実施の形態】
本発明の実施形態である吸収性物品としてのパンツ型の使い捨て紙オムツ１００について図１乃至図３に基づいて説明する。図１は紙オムツ１００の斜視図、図２は紙オムツ１００の両脇部分を切り離して人体と接する面（後述するトップシート１０側）を正面に示した展開図、図３は図２のＸ−Ｘ線に沿った断面図である。
【００１６】
（使い捨て紙オムツの全体構成）
紙オムツ１００は、装着時に人体の胴回りから股下を覆う不透液性のシート部材としてのバックシート２０と、バックシート２０の装着保持力を生ずる弾性部２５と、バックシート２０の人体接触側に位置する透液性のトップシート１０と、バックシート２０とトップシート１０との間に介挿されて尿等の水分吸収を行う吸収体３０と、トップシート１０の装着時左右端部における漏れを防止するギャザーシート４０と、トップシート１０の装着時前後端部における漏れを防止する胴周り漏れ防止シート５０と、トップシート１０の装着時背面側における漏れを防止する防水フィルム６０と、を備えて構成されている。
【００１７】
（バックシート）
バックシート２０は、全体的には袋状に形成され、その上端部に腹側開口部を備え、下部には二つの脚側開口部を備えている。また、その上部が、オムツ装着時に人体の胴回りを囲む筒状の胴回り部２６となり、その下部が人体の下腹部を囲む筒状の下腹部２７となり、さらにその下部であって二つの脚側開口部の間の部位が股下部２８となっている。そして、これらの胴回り部２６と下腹部２７と股下部２８とは一体的に形成されている。
なお、胴回り部２６及び下腹部２７は、図２に示すように、完成前の状態ではその両側端部で人体前側となる部分と後側となる部分とに分断されており、これら分断された部分の間に股下部２８が介在している。即ち、バックシート２０は、一枚のシート体が股下部２８で折り返されると共に胴回り部２６及び下腹部２７の両側端部が接合されることで略袋状の状態が形成される。
【００１８】
また、バックシート２０を形成するシート体は、その全体が、二枚の不織布２１，２２の張り合わせ構造となっている。これらはいずれも、不透液性不織布（シート部材）で形成される。そして、バックシート２０の胴回り部２６及び下腹部２７における上記二枚の不織布２１，２２の間には弾性部２５を構成する糸ゴム２５ａ、２５ｂが介挿され、股下部２８における各不織布２１，２２の間には装着時に人体にフィットさせるための糸ゴム２３が介挿されている。
上記不透液性不織布２１，２２は、ポリプロピレン（ＰＰ）、ポリエチレン（ＰＥ）、ナイロン、ポリエステル（ＰＥＴ等）、アクリル等や、またＰＥ  ／ＰＰ混合不織布、ＰＥ  ／ＰＥＴ混合不織布など上記素材を適宜組み合わせたバイコンポーネント繊維（混合繊維）等を素材とするが、不透液性とするため、疎水性または撥水性の高い素材で形成することが望ましく、また或いは疎水性または撥水性を高くする加工が施される。
さらに、バックシート２０が展開された状態で、不織布２２はその上端部と下端部とが装着時の内側に折り返されており、不織布２１に貼合わされた胴周り漏れ防止シート５０の上端部と下端部とをそれぞれ挟み込んでいる。
【００１９】
（弾性部）
弾性部２５は、バックシート２０の胴回り部２６から下腹部２７にかけて並んで設けらた複数の弾性部材としての糸ゴム２５ａ，２５ｂから構成されている。これらの糸ゴム２５ａ，２５ｂは前述したバックシート２０の胴回り部２６及び下腹部２７と同様に完成前にはその両側端部で二つに分断されているが、胴回り部２６及び下腹部２７がそれぞれその両側端部で連結されることによりこれらの糸ゴム２５ａ，２５ｂの連結状態となり、各々が環状となる。
【００２０】
これらの糸ゴム２５ａ，２５ｂは、それぞれが平行状態を維持しながらバックシート２０の不織布２１と２２との間に介挿された状態で固着されると共にバックシート２０の胴回り部２６から下腹部２７に向かう方向（図１２，における上下方向）において均一間隔で並列配置されている。なお、ここでいう均等間隔とは、各糸ゴム２５ａ，２５ｂの幅又は厚さ方向における中心線が均等間隔な状態をいうものとする。
さらに、糸ゴム２５ａは、糸ゴム２５ｂよりのその弾性応力が大きく設定されている。これらの弾性応力差は、糸ゴムの素材自体の違いにより設定しても良いし、断面における幅や厚さ或いは貼付長さの違いにより設定しても良い。
【００２１】
そして、弾性部２５では、これら二種類の糸ゴム２５ａ，２５ｂの混合配置比率を上下方向において徐々に異ならせることで胴回り部２６から下腹部２７に向かうにつれて装着保持力が徐々に小さくなるようにしている。ここで「混合配置比率」とは、所定方向に並んだ複数の弾性部材を所定個数ずつに分けたときに、その中に含まれる強弱が異なる各種の弾性体の個数比率をいうものとする。
具体的には、図４に示すように、上（胴回り部２６側）から順番に五本については弾性応力の強い糸ゴム２５ａが四本，弾性応力が弱い糸ゴム２５ｂが一本の比率で配置され、その下の五本については弾性応力の強い糸ゴム２５ａが三本，弾性応力が弱い糸ゴム２５ｂが二本の比率で配置され、さらにその下の五本については弾性応力の強い糸ゴム２５ａが二本，弾性応力が弱い糸ゴム２５ｂが三本の比率で配置されている。このように、強弱の差がある糸ゴム２５ａ，２５ｂの比率を徐々に変えることにより、弾性部２５における胴回り部２６から下腹部２７に向かうにつれて装着保持力を段階的ではなく徐々に小さくなるように推移させることができる。
【００２２】
なお、各糸ゴム２５ａ，２５ｂは、その全長がいずれも胴回り部２６及び下腹部２７の全周の長さよりも短く設定されている。従って、紙オムツ１００の未装着時にあっては、各糸ゴム２５ａ，２５ｂの弾性応力により胴回り部２６及び下腹部２７は蛇腹状に収縮した状態となっている。
【００２３】
（トップシート）
トップシート１０は、バックシート２０の股下部２８であって、装着時人体側となる面に貼着される。即ち、トップシート１０は、図２に示すように、長方形状であってその端縁部を貼着されることでバックシート２０との間に吸収体３０を内封する。また、トップシート１０の図２における上下端部は、後述する胴周り漏れ防止シート５０とバックシート２０との隙間に入り込んでいる。
【００２４】
上記トップシート１０は、透液性不織布であり、その素材としてとしては、綿，セルロース（木材パルプ），羊毛，絹等の天然繊維、或いは、ポリプロピレン（ＰＰ），ポリエチレン（ＰＥ），ナイロン，ポリエステル（ＰＥＴ等），アクリル等，ＰＥ  ／ＰＰ混合不織布、ＰＥ  ／ＰＥＴ混合不織布等の合成繊維等の合成繊維が使用されるが、天然、合成の繊維のいずれを使用する場合でも綿を配合することが望ましい。
【００２５】
（吸収体）
吸収体３０は、前述したようにバックシート２０とトップシート１０との間に介在している。そして、紙オムツ１００の使用時に、尿等の水様成分を吸収するために設けられており、図２に示すように、綿やパルプ等の吸収性素材や、繊維或いはフィルム等のシート状基材と高吸水性樹脂とを組み合わせて形成される吸収部３１と、吸収部３１を包含する吸収性不織布または紙等からなる包装部３２とで構成される。
【００２６】
（防水フィルム）
防水フィルム６０は、図３の断面図で示すように、吸収体３０のバックシート２０側の面を覆い、トップシート１０と共に吸収体３０を挟み込んだ状態で当該吸収体３０を封入している。また、防水フィルム６０の両側部はトップシート１０の両側部よりも側方に延出しており、当該延出した防水フィルム６０の両側部に沿ってギャザーシート４０が設けられるようになっている。
上記防水フィルム６０は、ＰＥ等の樹脂により形成される。この防水フィルム６０は、シート内に空隙を形成させた多孔性フィルムであって、また疎水加工もしくは撥水加工が施され、通気性を有する防水フィルムとして機能する。
【００２７】
（ギャザーシート）
ギャザーシート４０は、前述したようにトップシート１０の両側部から延出された防水フィルム６０の両側部に沿って設けられ、当該延出した状態からトップシート１０の上に重なるように折り返されている。そしてギャザーシート４０の折り返された先端部に沿って、糸ゴム４３が備えられており、図２における上下方向に所定の弾性応力を付与している。このため、トップシート１０は、その長手方向中間部において折り返されるように湾曲し、これに伴いギャザーシート４０は、トップシート１０の上面に対して立ち上がげられた状態となる。ギャザーシート４０は、かかる状態で装備されることにより、トップシート１０の上面に対して水分が放出されたときに当該トップシート１０の両側部より外側への水分の漏れを効果的に防止する。
【００２８】
かかるギャザーシート４０は、トップシート１０と同様の繊維性素材を用いて、エアスルー方式で製造されたエアスルー不織布で形成される。本実施の形態で用いられるこのエアスルー不織布は、メルトブロー不織布に比べて繊維の目が粗く、繊維径も太く、柔らかい性質を有する。
【００２９】
（胴回り漏れ防止シート）
胴周り漏れ防止シート５０は、図２に示すように、バックシート２０の胴回り部２６及び下腹部２７における装着時人体側面のほぼ全体を被覆した状態で固着される不透液性のシートである。
この胴周り漏れ防止シート５０は、トップシート１０の図２における上下端部を覆う箇所だけは固着されずに自由端部とされ、トップシート１０との間でポケットを形成する。このような構成により、胴周り漏れ防止シート５０は、紙オムツ１００使用時に、尿等が、着用者の前胴周りおよび後胴周りの部分から漏れ出すことを防止するようになっている。
【００３０】
（使い捨て紙オムツの効果）
上記構成からなる紙オムツ１００は、バックシート２０における胴回り部２６と下腹部２７とに個別分離した状態で弾性部を設けるのではなく、胴回り部２６から下腹部２７にかけて一体的に弾性部２５を備え、当該弾性部２５により紙オムツ１００の装着保持力を得ていることから人体の胴回り又は下腹部に集中した締め付け力の発生を緩和することができ、人体への負担を軽減することが可能となる。
また、上記弾性部２５は、胴回り部２６から下腹部２７に向かうにつれて装着保持力が小さくなるように設定されているので、弾性部２５全体としては高い保持力を維持しつつも人体の下腹部への締め付け力による圧迫を効果的に回避し、人体への負担の軽減を図ることが可能となる。
さらに、胴回り部から下腹部にかけての装着保持力の変化が、強弱の異なる二種類の糸ゴム２５ａ，２５ｂの混合配置比率の変化により実現されることから、部品種の低減による生産性の向上を図ることが可能となる。
【００３１】
（その他）
上記弾性部２５は、強弱の異なる二種類の糸ゴム２５ａ，２５ｂにより胴回り部から下腹部にかけての装着保持力の変化を実現しているが、強弱の異なる三種以上の弾性部材（糸ゴム）を混合配置して実現させても良い。かかる場合、各弾性部材間の弾性応力の変化をより低減することができ、胴回り部から下腹部にかけての装着保持力の変化をよりなだらかにすることが可能となる。
【００３２】
また、弾性部２５を、弾性応力が均一の複数の弾性部材（糸ゴム）により、各弾性部材の隣接間隔が胴回り部から下腹部にかけて徐々に広くするように配置することで、胴回り部から下腹部にかけての装着保持力が小さくなる変化を実現しても良い。かかる構成では、弾性部材として同一のものを使用することができるので、部品種低減により生産性の向上を図ることを可能とする。
【００３３】
【発明の効果】
本発明によると、シート部材の胴回り部から下腹部にかけて当該下腹部に向かうにつれて装着保持力が小さくなるように設けられた複数の弾性部材により装着保持力を生じるため、人体の一部に集中した締め付け力の発生を緩和することが可能となり、また、これにより、人体の胴回りや下腹部に締め付け痕が残ったり、かゆみを生じる等の不都合を効果的に解消することが可能となる。
【図面の簡単な説明】
【図１】本発明を適用した使い捨て紙オムツの一例を示す斜視図である。
【図２】図１の使い捨て紙オムツを、両脇で切り開いて展開した様子を示す平面図である。
【図３】図２の使い捨て紙オムツのＸ−Ｘにおける断面図である。
【符号の説明】
２０  バックシート（シート部材）
２５  弾性部
２５ａ，２５ｂ  糸ゴム（弾性部材）
３０  吸収体
１００  使い捨て紙オムツ（吸収性物品）
【図１】
2004298399.tif 000003
【図２】
2004298399.tif 000004
【図３】
2004298399.tif 000005